(57)【要約】【課題】  従来の電子機器は、電子機器に装着されたアクセサリの盗難を防止することができなかった。【解決手段】  デジタルカメラ１の盗難を防止する盗難防止モードがＳ１において設定された状態で、距離算出部によって所定値以上の距離が算出されて、ＧＰＳモジュール３３により測位されるデジタルカメラ１の筐体１ａのＢ地点の位置が、Ａ地点のその初期位置からＸメートル以上離れたことがＳ５において検出されると、ＣＰＵ１３は、Ｓ１０においてプッシュ型ソレノイド４８の作動状態を制御して、Ｓ１１においてロック機構を働かせ、交換レンズ取り外しボタン４３を操作できなくする。このため、デジタルカメラ１が持ち去られようとされていることが判明すると、交換レンズ２は、ロック機構によってデジタルカメラ１の筐体１ａから取り外せなくなる。【選択図】  図６
2012043045.tif 000002
【特許請求の範囲】
【請求項１】
測位衛星から測位信号を受信して筐体の位置を測位する前記筐体に備えられた測位部と、
前記測位部により測位される前記筐体の位置および前記筐体の初期位置間の距離を算出する距離算出部と、
前記筐体に着脱自在に取り付けられるアクセサリをアクチュエータの作動状態によって前記筐体から取り外せなくするロック機構と、
盗難を防止する盗難防止モードを設定する設定部と、
前記設定部によって盗難防止モードが設定された状態で前記距離算出部によって所定値以上の距離が算出されると前記アクチュエータの作動状態を制御して前記アクセサリを前記筐体から取り外せなくする制御部と
を備えた電子機器。
【請求項２】
請求項１に記載の電子機器において、
前記ロック機構は、
前記筐体に取り付けられた前記アクセサリと係合することで、前記アクセサリを前記筐体から取り外せなくする係合部と、
前記係合部に連結され、操作されると前記係合部を連動させて前記アクセサリと前記係合部との係合を解く取り外し部と、
前記アクチュエータの作動状態によって前記取り外し部と係合して前記取り外し部の操作を行えなくするストッパーと
から構成されることを特徴とする電子機器。
【請求項３】
請求項１または請求項２に記載の電子機器において、
前記制御部は、前記電子機器の使用状態を検出すると前記アクチュエータの作動状態を制御して前記ロック機構により前記アクセサリを前記筐体から取り外せなくすることを特徴とする電子機器。
【請求項４】
請求項１から請求項３のいずれか１項に記載の電子機器において、
前記筐体外へ出音する出音部と、
前記設定部によって盗難防止モードが設定された状態で前記距離算出部によって所定値以上の距離が算出されると前記出音部から警告音を出音させる出音制御部とを備えることを特徴とする電子機器。
【請求項５】
請求項１から請求項４のいずれか１項に記載の電子機器において、
ロック解除暗号を入力する解除暗号入力部と、
前記解除暗号入力部により入力されたロック解除暗号が予め設定された設定解除暗号と一致するか否かを判定する解除暗号判定部とを備え、
前記制御部は、前記解除暗号判定部によって前記ロック解除暗号が前記設定解除暗号と一致すると判定された場合に前記アクチュエータの作動状態を制御して前記ロック機構を解除し、前記アクセサリを前記筐体から取り外せる状態にすることを特徴とする電子機器。
【発明の詳細な説明】
【技術分野】
【０００１】
本発明は、測位衛星から測位信号を受信して位置を測位する測位部を備えた電子機器に関するものである。
【背景技術】
【０００２】
従来、このような電子機器としては、例えば、特許文献１に開示されたデジタルカメラがある。このデジタルカメラには、ＧＰＳ（Global Positioning System）受信装置が備えられている。ＧＰＳ受信装置は、衛星から発信されるＧＰＳ電波を受信してデジタルカメラの測位を行い、位置情報信号を連続的に位置判定装置へ送出する。位置判定装置は、位置情報信号を受信してデジタルカメラが所定の領域内に存在するか否かを判定し、デジタルカメラが所定の領域外に存在すると判定すると、警報装置へ盗難信号を出力する。警報装置は、盗難信号を受信すると警報を発生し、デジタルカメラの盗難を防止する。
【先行技術文献】
【特許文献】
【０００３】
【特許文献１】特開２０００−１５５８７８号公報
【発明の概要】
【発明が解決しようとする課題】
【０００４】
しかしながら、上記従来の電子機器は、電子機器そのものの盗難を防止することはできるが、電子機器に装着されたアクセサリが電子機器から取り外されて所定の領域外に持ち去られた場合には、電子機器が所定の領域内に存在するため、警報装置から警報が発せられない。このため、上記従来の電子機器は、電子機器に装着されたアクセサリの盗難を防止することができなかった。
【課題を解決するための手段】
【０００５】
本発明はこのような課題を解決するためになされたもので、
測位衛星（５２）から測位信号（５３）を受信して筐体（１ａ）の位置を測位する筐体（１ａ）に備えられた測位部（３３）と、
測位部（３３）により測位される筐体（１ａ）の位置および筐体（１ａ）の初期位置間の距離を算出する距離算出部（１３）と、
筐体（１ａ）に着脱自在に取り付けられるアクセサリ（２）をアクチュエータ（４８）の作動状態によって筐体（１ａ）から取り外せなくするロック機構（４２，４３，４４，４８）と、
盗難を防止する盗難防止モードを設定する設定部（２７，２８）と、
設定部（２７，２８）によって盗難防止モードが設定された状態で距離算出部（１３）によって所定値以上の距離が算出されるとアクチュエータ（４８）の作動状態を制御してアクセサリ（２）を筐体（１ａ）から取り外せなくする制御部（１３）と
を備えた、電子機器（１）を構成した。
【０００６】
この構成によれば、設定部（２７，２８）によって電子機器（１）の盗難を防止する盗難防止モードが設定された状態で、距離算出部（１３）によって所定値以上の距離が算出されて、測位部（３３）により測位される電子機器（１）の筐体（１ａ）の位置（Ｂ地点）がその初期位置（Ａ地点）から所定距離以上離れたことが検出されると、制御部（１３）によってアクチュエータ（４８）の作動状態が制御されて、ロック機構（４２，４３，４４，４８）が働かせられる。このため、測位部（３３）により測位される筐体（１ａ）の位置（Ｂ地点）がその初期位置（Ａ地点）から所定距離以上離れたことが検出されて、電子機器（１）が持ち去られようとされていることが判明すると、電子機器（１）の筐体（１ａ）に着脱自在に取り付けられたアクセサリ（２）は、ロック機構（４２，４３，４４，４８）によって電子機器（１）の筐体（１ａ）から取り外せなくなる。従って、電子機器（１）の筐体（１ａ）に取り付けられたアクセサリ（２）が取り外されて持ち去られてしまうことを防止することができる。
【０００７】
また、本発明は、ロック機構（４２，４３，４４，４８）が、
筐体（１ａ）に取り付けられたアクセサリ（２）と係合することで、アクセサリ（２）を筐体（１ａ）から取り外せなくする係合部（４２）と、
係合部（４２）に連結され、操作されると係合部（４２）を連動させてアクセサリ（２）と係合部（４２）との係合を解く取り外し部（４３）と、
アクチュエータ（４８）の作動状態によって取り外し部（４３）と係合して取り外し部（４３）の操作を行えなくするストッパー（４６）と
から構成されることを特徴とする。
【０００８】
この構成によれば、電子機器（１）の筐体（１ａ）に取り付けられたアクセサリ（２）と係合部（４２）とが係合することでロック機構（４２，４３，４４，４８）が働き、取り外し部（４３）が操作されて係合部（４２）が取り外し部（４３）に連動することで、アクセサリ（２）と係合部（４２）との係合が解かれてロック機構（４２，４３，４４，４８）が解除される。また、制御部（１３）によってアクチュエータ（４８）の作動状態が制御されてストッパー（４６）が働くと、取り外し部（４３）を操作してもアクセサリ（２）と係合部（４２）との係合を解くことができなくなり、ロック機構（４２，４３，４４，４８）が解除できなくなる。
【０００９】
また、本発明は、制御部（１３）が、電子機器（１）の使用状態を検出するとアクチュエータ（４８）の作動状態を制御してロック機構（４２，４３，４４，４８）によりアクセサリ（２）を筐体（１ａ）から取り外せなくすることを特徴とする。
【００１０】
この構成によれば、電子機器（１）の使用状態が検出されると、制御部（１３）によってアクチュエータ（４８）の作動状態が制御されてロック機構（４２，４３，４４，４８）が働かせられ、アクセサリ（２）が筐体（１ａ）から取り外せなくなる。このため、電子機器（１）の筐体（１ａ）に着脱自在に取り付けられたアクセサリ（２）は、測位部（３３）により測位される筐体（１ａ）の位置（Ｂ地点）がその初期位置（Ａ地点）から所定距離以上離れたことが検出されなくても、電子機器（１）の使用状態が検出された時点から、ロック機構（４２，４３，４４，４８）によって電子機器（１）の筐体（１ａ）から取り外せなくなる。従って、電子機器（１）の筐体（１ａ）に取り付けられたアクセサリ（２）が電子機器（１）の使用中に取り外されて持ち去られてしまうことを防止することができる。
【００１１】
また、本発明は、筐体（１ａ）外へ出音する出音部（３０）と、
設定部（２７，２８）によって盗難防止モードが設定された状態で距離算出部（１３）によって所定値以上の距離が算出されると出音部（３０）から警告音を出音させる出音制御部（１３）と
を備えることを特徴とする。
【００１２】
この構成によれば、設定部（２７，２８）によって盗難防止モードが設定された状態で距離算出部（１３）によって所定値以上の距離が算出されると、出音制御部（１３）によって出音部（３０）から警告音が出音される。このため、出音部（３０）から出音される警告音によって、盗難者に電子機器（１）の盗難を諦めさせることができる。
【００１３】
また、本発明は、ロック解除暗号を入力する解除暗号入力部（２７，２８）と、
解除暗号入力部（２７，２８）により入力されたロック解除暗号が予め設定された設定解除暗号と一致するか否かを判定する解除暗号判定部（１３）とを備え、
制御部（１３）が、解除暗号判定部（１３）によってロック解除暗号が設定解除暗号と一致すると判定された場合にアクチュエータ（４８）の作動状態を制御してロック機構（４２，４３，４４，４８）を解除し、アクセサリ（２）を筐体（１ａ）から取り外せる状態にすることを特徴とする。
【００１４】
この構成によれば、解除暗号入力部（２７，２８）により入力されたロック解除暗号が解除暗号判定部（１３）によって設定解除暗号と一致すると判定された場合、制御部（１３）によってアクチュエータ（４８）の作動状態が制御されてロック機構（４２，４３，４４，４８）が解除され、アクセサリ（２）が電子機器（１）の筐体（１ａ）から取り外せる状態になる。このため、解除暗号入力部（２７，２８）で入力するロック解除暗号を予め設定された設定解除暗号と一致させない限り、アクセサリ（２）を筐体（１ａ）から取り外すことができない。従って、ロック機構（４２，４３，４４，４８）の解除はロック解除暗号を知っている特定の者（５１）のみが行え、ロック解除暗号を知らない第三者（５５）により、電子機器（１）の筐体（１ａ）に取り付けられたアクセサリ（２）が取り外されて持ち去られてしまうことを防止することができる。
【発明の効果】
【００１５】
本発明による電子機器によれば、上記のように、電子機器の筐体に取り付けられたアクセサリが取り外されて持ち去られてしまうことを防止することができる。
【図面の簡単な説明】
【００１６】
【図１】本発明の一実施形態によるデジタルカメラの外観を示す側面図である。
【図２】交換レンズが取り付けられていない状態の、図１に示すデジタルカメラの筐体の正面図である。
【図３】（ａ）は図２に示すデジタルカメラの筐体を破線Ａに沿って破断した一部断面図、（ｂ）は交換レンズ取り外しボタンを押し込んで交換レンズのロック状態を解除した際の一部断面図、（ｃ）は交換レンズ取り外しボタンを押し込んでも交換レンズを取り外せないロック状態がかかった際の一部断面図である。
【図４】図１に示すデジタルカメラの電気回路構成の概略を示すブロック図である。
【図５】図１に示すデジタルカメラの筐体の背面図である。
【図６】図１に示すカメラ本体に備えられたＣＰＵによって行われる盗難防止制御処理の概略を示すフローチャートである。
【図７】（ａ）は図１に示すデジタルカメラを三脚に設置した際のシチュエーション図、（ｂ）は（ａ）のシチュエーションでタイマーを用いた自己撮影をする際、または第三者に自己の撮影を依頼する際のシチュエーション図である。
【図８】図１に示すデジタルカメラの盗難防止モードが作動した際のシチュエーション図である。
【図９】図１に示すデジタルカメラの筐体から第三者により交換レンズが取り外されて持ち去られてしまうことが無いことを説明するシチュエーション図である。
【発明を実施するための形態】
【００１７】
次に、本発明による電子機器をデジタルカメラに適用した場合における、本発明を実施するための形態について説明する。
【００１８】
図１は、本発明の一実施形態によるデジタルカメラ１の外観を示す側面図である。
【００１９】
デジタルカメラ１は、カメラ本体を構成する筐体１ａと、筐体１ａの正面に着脱に装着される交換可能な交換レンズ２とから構成される。
【００２０】
図２は、交換レンズ２が取り付けられていない状態の、図１に示すデジタルカメラ１の筐体１ａの正面図である。
【００２１】
筐体１ａの正面から見て左側には、撮影時に撮影者によって握られるグリップ部３が設けられている。このグリップ部３の上面には、シャッターボタン１６が設けられている。シャッターボタン１６の周囲には、回転操作されると筐体１ａ内部の各回路に動作電源を供給させる電源ボタン４が設けられている。また、筐体１ａの正面中央部に開口した空洞４０の周囲には、交換レンズ２を筐体１ａに取り付けるマウントリング４１が設けられている。マウントリング４１の右方の表面からは、筐体１ａに取り付けられた交換レンズ２と係合するロックピン４２が突出している。また、ロックピン４２の隣の筐体１ａ前面には、交換レンズ２を筐体１ａから取り外す際に押下操作される交換レンズ取り外しボタン４３が設けられている。
【００２２】
ロックピン４２は、マウントリング４１に交換レンズ２の後端部が差し込まれると、交換レンズ２のマウントリング４１と対向する面に押されて筐体１ａの内方に押し込まれる。この状態で交換レンズ２を所定の方向に回転させると、交換レンズ２の後端部外周に切られた雄ネジがマウントリング４１の内周縁部に切られた雌ネジと螺合し、バヨネット機構を構成する爪の噛み合わせによって交換レンズ２が筐体１ａに取り付けられて固定される。
【００２３】
図３（ａ）は、図２に示すデジタルカメラ１の筐体１ａを破線Ａに沿って破断した一部断面図である。
【００２４】
ロックピン４２の一端側に備えられたスライド軸４２ａの周囲には、コイルバネ４２ｂが設けられている。交換レンズ２が回転させられて筐体１ａに取り付けられると、交換レンズ２に押されて筐体１ａ内方に押し込まれていたロックピン４２は、交換レンズ２のマウントリング４１と対向する面に設けられた溝２ａ（同図（ｂ）参照）と位置が合い、コイルバネ４２ｂの付勢力によって筐体１ａ外方に突出し、溝２ａと係合して交換レンズ２を回転不能なロック状態にする。ロックピン４２は、筐体１ａに取り付けられたアクセサリ、本実施形態では交換レンズ２の溝２ａと係合することで、交換レンズ２を筐体１ａから取り外せなくする係合部を構成している。
【００２５】
同図（ｂ）は、交換レンズ取り外しボタン４３を押し込んで交換レンズ２のロック状態を解除した際の断面図である。
【００２６】
ロックピン４２と交換レンズ取り外しボタン４３とは、連結板４４によって互いに連結されている。交換レンズ取り外しボタン４３の一端側に備えられたスライド軸４３ａの周囲には、コイルバネ４３ｂが設けられている。交換レンズ取り外しボタン４３がコイルバネ４３ｂの付勢力に抗して筐体１ａの内方、すなわち同図（ｂ）に示す矢印４５の方向に押し込まれると、連結板４４によってロックピン４２も連動し、ロックピン４２がコイルバネ４２ｂの付勢力に抗して筐体１ａの内方に移動する。これにより、ロックピン４２と溝２ａとの係合が解除され、交換レンズ２が回転可能となって取り外せるようになる。交換レンズ取り外しボタン４３は、連結板４４によってロックピン４２に連結され、押し込み操作されるとロックピン４２を連動させて交換レンズ２とロックピン４２との係合を解く取り外し部を構成している。
【００２７】
また、筐体１ａの内部には、鉄心４６およびコイル４７から構成されるプッシュ型ソレノイド４８が、アクチュエータとして備えられている。鉄心４６は、先端が二股に分かれており、コイル４７に通電されると、同図（ｃ）に示すようにコイル４７から突出する向きにスライドし、スライド軸４３ａが細く形成された細径部４３ｃに先端が嵌合する。細径部４３ｃに鉄心４６の先端が嵌合すると、交換レンズ取り外しボタン４３が動かなくなり、コイルバネ４３ｂの付勢力に抗して筐体１ａの内方に押し込めなくなる。このため、連結されたロックピン４２をコイルバネ４２ｂの付勢力に抗して筐体１ａの内方に移動させることができなくなり、ロックピン４２は溝２ａと係合したロック状態に保たれる。鉄心４６は、プッシュ型ソレノイド４８の作動状態、本実施形態ではプッシュ型ソレノイド４８へ通電が行われた動作状態によって交換レンズ取り外しボタン４３と係合して、交換レンズ取り外しボタン４３の押し込み操作を行えなくするストッパーを構成している。ロックピン４２、交換レンズ取り外しボタン４３、連結板４４、およびプッシュ型ソレノイド４８は、筐体１ａに着脱自在に取り付けられる交換レンズ２をプッシュ型ソレノイド４８の作動状態によって筐体１ａから取り外せなくするロック機構を構成している。
【００２８】
本実施形態によるデジタルカメラ１では、デジタルカメラ１の筐体１ａに取り付けられた交換レンズ２の溝２ａにロックピン４２が係合することでロック機構が働き、交換レンズ取り外しボタン４３が押し込み操作されてロックピン４２が交換レンズ取り外しボタン４３に連動することで、交換レンズ２の溝２ａとロックピン４２との係合が解かれてロック機構が解除される。また、ＣＰＵ１３によってプッシュ型ソレノイド４８の作動状態が動作状態に制御されて鉄心４６の先端が細径部４３ｃに嵌合すると、交換レンズ取り外しボタン４３を操作しても交換レンズ２の溝２ａとロックピン４２との係合を解くことができなくなり、ロック機構が解除できなくなる。
【００２９】
図４は、デジタルカメラ１の電気回路構成の概略を示すブロック図である。
【００３０】
交換レンズ２および撮像素子１１は撮像系１２を構成しており、交換レンズ２を介して筐体１ａ内に導かれた被写体光は、撮像素子１１の受光面上に被写体像を投影する。同図では交換レンズ２を単レンズとして図示しているが、交換レンズ２は、ズームレンズ、フォーカシングレンズ、ぶれ補正レンズを含む複数のレンズ群から成り、撮像素子１１に被写体像を結像する光学系を構成する。ズームレンズ、フォーカシングレンズ、およびぶれ補正レンズは、ＣＰＵ（Central Processing Unit）１３の制御により、不図示のズームレンズ駆動部，フォーカシングレンズ駆動部、およびぶれ補正レンズ駆動部がそれぞれ駆動されることで、移動する。ズームレンズが光軸方向に移動すると、撮像素子１１の受光面上に投影される被写体像は拡大または縮小され、光学ズームの拡大倍率が調節される。また、フォーカシングレンズが光軸方向に移動すると、撮像素子１１の受光面上に投影される被写体像のピントが調節される。また、ぶれ補正レンズが筐体１ａの手ぶれ方向と逆の方向に移動すると、撮像素子１１の受光面上に導かれる光の屈折方向が手ぶれを打ち消す方向に変化し、受光面上に投影される被写体像のぶれが補正される。ズームレンズ、フォーカシングレンズ、およびぶれ補正レンズの各レンズ位置は、それぞれ、不図示のズームレンズ位置検出センサ、フォーカシングレンズ位置検出センサ、およびぶれ補正レンズ位置検出センサにより検出され、検出された信号はＣＰＵ１３に出力される。
【００３１】
撮像素子１１は、受光面に受光素子が二次元配列されたＣＣＤ（Charge Coupled Device）イメージセンサやＣＭＯＳ（Complementary Metal Oxide Semiconductor）イメージセンサなどからなり、画像を撮像する撮像手段を構成している。ＣＰＵ１３は、バス１４にキー入力装置１５を介して接続されたシャッターボタン１６が全押しされて、撮像開始を指示する全押し操作信号が入力されると、予め設定されたシャッタースピードでシャッターを開き、被写体像を所定時間つまり露光時間撮像素子１１に露光させて被写体像の撮像を行わせる。
【００３２】
撮像素子１１によって撮像された被写体像はアナログ画像信号に変換され、変換されたアナログ画像信号は、信号処理回路（ＡＦＥ回路）１７において、相関二重サンプリングやゲイン調整が行われてデジタル信号に変換され、不図示の画像処理回路に出力される。画像処理回路は、信号処理回路１７で変換されたデジタル信号を取得すると、色補間処理や、階調変換処理、輪郭強調処理、ホワイトバランス調整処理などの各種の画像処理を行って画像データを生成する。生成された画像データは、画像データを所定の比率で圧縮するバス１４に接続されたＪＰＥＧコーデック１８によって圧縮処理が施され、バス１４を介してＳＤＲＡＭ（Synchronous Dynamic Random Access Memory）コントローラ１９の制御により、一旦ＳＤＲＡＭ２０に格納される。
【００３３】
バス１４に接続されたＩ／Ｆ（インターフェイス）部２１は、不図示のコネクタを有し、該コネクタに記録媒体２２が接続される。Ｉ／Ｆ部２１は、接続された記録媒体２２に対する画像データの書込や、記録媒体２２からの画像データの読み込みを行う。ＳＤＲＡＭ２０に格納された画像データは、バス１４およびＩ／Ｆ部２１を介して記録媒体２２に記録される。記録媒体２２は、半導体メモリを内蔵した、筐体１ａに着脱自在なメモリカード、またはハードディスクドライブなどで構成される。
【００３４】
また、バス１４には、フラッシュメモリ２３が接続されている。フラッシュメモリ２３は、データの読み書きが電気的に可能なＥＥＰＲＯＭ（Electrically Erasable Programmable Read Only Memory）などからなる。フラッシュメモリ２３には、ＣＰＵ１３が種々の処理を行う際の制御プログラムであるファームウェアや、筐体１ａの背面に設けられたＬＣＤ２４に表示されるメニュー画面におけるメニュー項目の内容、種々の案内メッセージ等が記憶されている。ＬＣＤ２４は、ＴＦＴ（Thin Film Transistor）液晶などからなり、オンスクリーン用表示メモリ２５および表示バッファ２６を介してバス１４に接続されている。ＬＣＤ２４に表示される画像は、オンスクリーン用表示メモリ２５に記憶され、表示バッファ２６に読み出されてＬＣＤ２４に表示される。ＬＣＤ２４には、撮影に関する種々の情報や、上記のメニュー画面、構図を確認するためのスルー画像などが表示される。スルー画像は、撮像系１２から信号処理回路１７を経て得られる画像データが表示バッファ２６を経てＬＣＤ２４に表示される画像である。スルー画像がＬＣＤ２４に表示された状態でシャッターボタン１６が操作されると、ＬＣＤ２４によってその時点で表示されているスルー画像が撮像されて記録媒体２２に記録される。
【００３５】
また、バス１４には、キー入力装置１５を介して、筐体１ａの背面に設けられた方向キー２７および決定ボタン２８が接続されている。方向キー２７は、ＬＣＤ２４に表示されたメニュー画面などにおいて、撮影者が設定したい項目を選択する際に、上下左右の各方向に押下操作される。決定ボタン２８は、方向キー２７を操作して選択した項目を決定する際に、押下操作される。キー入力装置１５は、上述したシャッターボタン１６や、方向キー２７、決定ボタン２８の各操作に応じた操作信号を、バス１４を介してＣＰＵ１３へ送出する。また、バス１４には、音声出力Ｉ／Ｆ２９を介してスピーカ３０が接続されている。スピーカ３０は、筐体１ａの外へ出音する出音部を構成する。また、撮影時に発光して被写体を照明するフラッシュ３１、カメラ本体と外部機器との間で無線により通信を行う無線ＬＡＮ３２が接続されている。
【００３６】
また、バス１４にはＧＰＳモジュール３３が接続されている。ＧＰＳモジュール３３は、測位衛星であるＧＰＳ衛星から送られる航法電波を受信するＧＰＳアンテナと、ＧＰＳアンテナで受信した航法電波に含まれる測位情報を復調及び解読して現在位置の緯度及び経度の割り出しに不可欠な測地系に関するデータを記憶するメモリと、ＧＰＳ衛星から送られてくる航法電波の受信タイミングを決定するために現地時刻を高精度でカウントする時計発生回路などを備えている。ＧＰＳモジュール３３は、測位衛星から測位信号を受信して筐体１ａの位置を測位する、筐体１ａに備えられた測位部を構成している。ＧＰＳモジュール３３およびＧＰＳ衛星は、内部にセシウムなどの原子発振器からなる高精度な時計を内蔵している。ＧＰＳモジュール３３は、ＧＰＳ（汎地球測位システム）により筐体１ａの現在位置を測位するものであり、例えば４個の各ＧＰＳ衛星から地上に無線送信される航法電波を受信して、その電波送信時刻と地球周回の軌道情報とを得る。ＣＰＵ１３は、受信した各航法電波がＧＰＳモジュール３３に到達するのに要した到達時間をＧＰＳモジュール３３内の時計によって測定し、各ＧＰＳ衛星と筐体１ａとの距離を算出する。筐体１ａの現在位置はＧＰＳ衛星を中心とする球面のいずれかに存在するため、ＣＰＵ１３は、各ＧＰＳ衛星を中心とする球面同士の交点を算出し、筐体１ａの位置情報を３次元座標で算出する。ＣＰＵ１３によって算出された筐体１ａの位置情報は、バス１４およびＳＤＲＡＭコントローラ１９を介してＳＤＲＡＭ２０に格納される。
【００３７】
ＬＣＤ２４に表示されたメニュー画面において、方向キー２７を操作してデジタルカメラ１の盗難を防止する盗難防止モードを選択し、決定ボタン２８を操作すると、ＣＰＵ１３によって盗難防止モードが設定される。方向キー２７および決定ボタン２８は、デジタルカメラ１の盗難を防止する盗難防止モードを設定する設定部を構成している。ＣＰＵ１３は、距離算出部を構成しており、盗難防止モードが設定されると、ＧＰＳモジュール３３により測位される筐体１ａの位置、および盗難防止モードが設定された時点における筐体１ａの初期位置間の距離を算出する。ＣＰＵ１３は、距離算出部によって所定値以上の距離が算出されると、コイル４７に通電して鉄心４６をスライドさせ、鉄心４６の先端を細径部４３ｃに嵌合させて、交換レンズ取り外しボタン４３を筐体１ａの内方に押し込めなくする。すなわち、ＣＰＵ１３は、設定部によって盗難防止モードが設定された状態で距離算出部によって所定値以上の距離が算出されると、プッシュ型ソレノイド４８の作動状態を動作状態に制御して、交換レンズ２を筐体１ａから取り外せなくする制御部を構成している。また、ＣＰＵ１３は、出音制御部を構成しており、設定部によって盗難防止モードが設定された状態で距離算出部によって所定値以上の距離が算出されると、スピーカ３０から警告音を出音させる。
【００３８】
図５は、図１に示す筐体１ａの背面図である。
【００３９】
筐体１ａの背面に設けられたＬＣＤ２４の右側には、撮影画像を拡大、縮小表示させる際などに操作されるズームボタン５が配置され、ズームボタン５の下方には、方向キー２７および決定ボタン２８が配置されている。ＣＰＵ１３は、細径部４３ｃに鉄心４６の先端が嵌合して交換レンズ取り外しボタン４３を操作できないロック状態にすると共に、スピーカ３０から警告音を出音させると、同図に示すように、ＬＣＤ２４にパスワード入力を促す画面を表示させる。パスワードは、ロック機構による交換レンズ取り外しボタン４３のロック状態を解除するロック解除暗号であり、ＬＣＤ２４に表示された数字列２４ａのいずれかの数字を方向キー２７の左右操作によって選択し、決定ボタン２８を押下操作することによって入力される。方向キー２７および決定ボタン２８は、ロック解除暗号を入力する解除暗号入力部を構成している。ＣＰＵ１３は、解除暗号判定部を構成しており、解除暗号入力部により入力された例えば６桁の数字の組み合わせからなるパスワード、すなわちロック解除暗号が、予め設定された設定解除暗号と一致するか否かを判定する。また、制御部を構成するＣＰＵ１３は、解除暗号判定部によってロック解除暗号が設定解除暗号と一致すると判定された場合に、コイル４７への通電を停止して鉄心４６の先端を細径部４３ｃから引き抜き、プッシュ型ソレノイド４８の作動状態を非動作状態に制御することによってロック機構を解除し、交換レンズ２を筐体１ａから取り外せる状態にする。
【００４０】
次に、図６に示すフローチャートを参照して、筐体１ａに備えられたＣＰＵ１３によって行われる盗難防止制御処理について説明する。
【００４１】
図７（ａ）に示すデジタルカメラ１の所有者５１は、デジタルカメラ１を三脚５４に設置して、同図（ｂ）に示すように、タイマーを用いた自己撮影をする際や、第三者５５に自己の撮影を依頼する際など、所有者５１がデジタルカメラ１から離れる場合、メニュー画面において盗難防止モードを設定する操作を行う。ＣＰＵ１３は、この操作がなされると、図６，Ｓ１において、盗難防止モードを設定する。次に、ＣＰＵ１３は、Ｓ２において、ＧＰＳモジュール３３が受信したＧＰＳ衛星５２からの電波５３に基づく、デジタルカメラ１の現在位置の計測を開始する。そして、Ｓ３において、盗難防止モード設定された時点で測位したＡ地点の位置座標を初期位置としてＳＤＲＡＭ２０に記憶する。なお、図７においては、図の簡略化のためにＧＰＳ衛星５２を１個のみ図示している。また、初期位置は、測位した位置情報が例えば５分間変化しない位置などとしてもよい。次に、ＣＰＵ１３は、Ｓ４において、デジタルカメラ１の現在位置をＢ地点として計測し、盗難防止モードが設定された後の時点で測位したＢ地点の位置座標をＳＤＲＡＭ２０に記憶する。次に、ＣＰＵ１３は、Ｓ５において、ＳＤＲＡＭ２０を参照してＡ地点とＢ地点との間の距離を算出し、Ｂ地点がＡ地点からＸメートル以内の範囲にあるか否かを判定する。Ｂ地点がＡ地点からＸメートル以内の範囲にあり、Ｓ５の判定結果が“Ｙｅｓ”であった場合、ＣＰＵ１３は、Ｓ６においてセルフタイマーを起動させ、セルフタイマー時間の経過後、Ｓ７においてシャッターボタン１６を自動押圧させる。そして、Ｓ８において、撮影された画像を記録媒体２２に記録して、処理を終了する。
【００４２】
また、図８に示すように、第三者５５によってデジタルカメラ１が持ち去られようとしてＢ地点がＡ地点からＸメートル以上離れ、Ｓ５の判定結果が“Ｎｏ”であった場合、ＣＰＵ１３は、Ｓ９において、スピーカ３０から警告音を出力させる。なお、図８において図７と同一部分には同一符号を付してその説明は省略する。次に、ＣＰＵ１３は、Ｓ１０において、プッシュ型ソレノイド４８のコイル４７に電流を流すことで、続くＳ１１において、鉄心４６を突出させ、鉄心４６の先端を細径部４３ｃに嵌合させて交換レンズ取り外しボタン４３をロック状態にする。
【００４３】
次に、ＣＰＵ１３は、Ｓ１２において、解除パスワードの入力を促す図５に示す画面をＬＣＤ２４に表示させ、Ｓ１３において、入力されたパスワードと予め設定されたパスワードとが一致したか否かを、判定する。Ｓ１３の判定結果が“Ｎｏ”であった場合、ＣＰＵ１３は、処理をＳ９に戻す。一方、入力されたパスワードと予め設定されたパスワードとが一致して、Ｓ１３の判定結果が“Ｙｅｓ”であった場合、ＣＰＵ１３は、Ｓ１４において、スピーカ３０から出力させている警告音を停止させ、Ｓ１５において、プッシュ型ソレノイド４８のコイル４７への通電を停止して鉄心４６を引き込み、鉄心４６の先端を細径部４３ｃから引き抜いて、交換レンズ取り外しボタン４３のロック状態を解除し、盗難防止制御処理を終了する。
【００４４】
このような本実施形態のデジタルカメラ１によれば、方向キー２７および決定ボタン２８によってデジタルカメラ１の盗難を防止する盗難防止モードが図６，Ｓ１において設定された状態で、距離算出部によって所定値以上の距離が算出されて、ＧＰＳモジュール３３により測位されるデジタルカメラ１の筐体１ａのＢ地点の位置が、Ａ地点のその初期位置からＸメートル以上離れたことがＳ５において検出されると、ＣＰＵ１３によってプッシュ型ソレノイド４８の作動状態がＳ１０において動作状態に制御されて、ロック機構がＳ１１において働かせられる。このため、ＧＰＳモジュール３３により測位される筐体１ａのＢ地点の位置がその初期のＡ地点の位置からＸメートル以上離れたことが検出されて、デジタルカメラ１が持ち去られようとされていることが判明すると、デジタルカメラ１の筐体１ａに着脱自在に取り付けられた交換レンズ２は、ロック機構によってデジタルカメラ１の筐体１ａから取り外せなくなる。従って、デジタルカメラ１の筐体１ａに取り付けられた、軽量で持ち運び易くて筐体１ａよりも遥かに高価なこともある交換レンズ２が、図９に示すように第三者５５により取り外されて持ち去られてしまうことを防止することができる。なお、同図において図７と同一部分には同一符号を付してその説明は省略する。
【００４５】
また、本実施形態によるデジタルカメラ１によれば、Ｓ１において盗難防止モードが設定された状態で、距離算出部によってＸメートル以上の距離が算出されたのがＳ５で判別されると、出音制御部によってスピーカ３０から警告音がＳ９で出音される。このため、スピーカ３０から出音される警告音によって、盗難者である第三者５５にデジタルカメラ１の盗難を諦めさせることができる。
【００４６】
また、本実施形態によるデジタルカメラ１によれば、Ｓ１３において、方向キー２７および決定ボタン２８により入力されたパスワードが解除暗号判定部によって予め設定されたパスワードと一致すると判定された場合、ＣＰＵ１３によってプッシュ型ソレノイド４８の作動状態が非動作状態に制御されてロック機構が解除され、交換レンズ２がデジタルカメラ１の筐体１ａから取り外せる状態になる。このため、方向キー２７および決定ボタン２８で入力するパスワードを予め設定されたパスワードと一致させない限り、交換レンズ２を筐体１ａから取り外すことができない。従って、ロック機構の解除はパスワードを知っている特定の者のみが行え、図９に示すように、パスワードを知らない第三者５５により、デジタルカメラ１の筐体１ａに取り付けられた交換レンズ２が取り外されて持ち去られてしまうことを防止することができる。
【００４７】
なお、上記実施形態では、プッシュ型ソレノイド４８のコイル４７への通電時に鉄心４６を押し出す向きにスライドさせ、鉄心４６の先端を細径部４３ｃに嵌合させて交換レンズ取り外しボタン４３をロック状態にする構成について説明したが、本発明はこれに限られることはない。例えば、プル型ソレノイドを用いて、コイル４７への非通電時に鉄心４６を突出させて鉄心４６の先端を細径部４３ｃに嵌合させ、コイル４７への通電時に鉄心４６を引き込む向きにスライドさせて、鉄心４６の先端と細径部４３ｃとの嵌合を解く構成にしてもよい。この構成によれば、コイル４７に電流を供給できない状態になっても、鉄心４６が突出した状態にあって細径部４３ｃと嵌合した状態にあるため、交換レンズ取り外しボタン４３を操作しても交換レンズ２とロックピン４２との係合を解くことができない盗難防止状態を保つことができる。
【００４８】
また、上記実施形態では、交換レンズ取り外しボタン４３をロックするためのアクチュエータとしてプッシュ形ソレノイド４８を用いた場合について説明したが、本発明はこれに限られることはない。電気的エネルギを機械的な運動に変換できるアクチュエータであればよく、例えば、ステッピングモータやＤＣモータなどのモータ軸に固定されたギアと、コイル４７の貫通孔に挿入された鉄心４６の端部に形成されたラックギアとを組み合わせて、鉄心４６をコイル４７の貫通孔方向に直動させる構成にしてもよい。また、直動システム小型リニアアクチュエータや、圧電素子アクチュエータなどを用いて、鉄心４６をコイル４７の貫通孔方向に直動させてもよい。また、マグネットなどを利用した磁気的なロック機構により、交換レンズ取り外しボタン４３をロックするようにしてもよい。
【００４９】
また、上記実施形態では、図６，Ｓ５において、ＧＰＳモジュール３３により測位される筐体１ａのＢ地点の位置がＡ地点の初期位置からＸメートル以上離れたことが検出されると、Ｓ１０において、プッシュ型ソレノイド４８の作動状態が制御されてロック機構により交換レンズ２が筐体１ａから取り外せなくなる場合について説明したが、本発明はこれに限られることはない。例えば、電源ボタン４がオンにされてデジタルカメラ１の使用状態が検出されると、制御部を構成するＣＰＵ１３によってプッシュ型ソレノイド４８の作動状態が制御されて、ロック機構により交換レンズ２が筐体１ａから取り外せなくなる構成にしてもよい。
【００５０】
この構成のデジタルカメラ１によれば、デジタルカメラ１の筐体１ａに着脱自在に取り付けられた交換レンズ２は、ＧＰＳモジュール３３により測位される筐体１ａのＢ地点の位置がそのＡ地点の初期位置から所定距離以上離れたことが検出されなくても、デジタルカメラ１の使用状態が検出された時点から、ロック機構によってデジタルカメラ１の筐体１ａから取り外せなくなる。従って、このような構成によれば、デジタルカメラ１の筐体１ａに取り付けられた交換レンズ２がデジタルカメラ１の使用中に取り外されて持ち去られてしまうことを防止することができる。
【００５１】
また、上記実施形態では、ロックピン４２をマウントリング４１に設けた場合について説明したが、本発明はこれに限られることはない。例えば、筐体１ａの上部に設けられたアクセサリシューにロックピンを設けてもよい。この構成によれば、アクセサリシューにスライドさせて装着する外部閃光装置や外付けファインダーなどのアクセサリを、アクセサリシューに設けられたロックピンによってロックし、取り外しボタンを操作しても外部閃光装置や外付けファインダーなどをアクセサリシューから取り外せなくすることができる。また、ロックピンを設ける場所は、アクセサリシュー以外の場所であってもよく、三脚やバッテリーパックの蓋などが取り付けられる場所に設けてもよい。
【産業上の利用可能性】
【００５２】
上記の実施形態においては、本発明による電子機器をデジタルカメラに適用した場合について説明したが、本発明はこれに限られることはない。たとえば、周辺機器が着脱自在に接続されるノート型のパーソナルコンピュータに本発明を適用することも可能である。このような電子機器に本発明を適用した場合においても、上記の実施形態と同様の作用効果が奏される。
【符号の説明】
【００５３】
１…デジタルカメラ
１ａ…筐体
２…交換レンズ
１３…ＣＰＵ
２０…ＳＤＲＡＭ
２４…ＬＣＤ
２７…方向キー
２８…決定ボタン
３０…スピーカ
３３…ＧＰＳモジュール
４２…ロックピン
４３…交換レンズ取り外しボタン
４６…鉄心
４７…コイル
４８…プッシュ型ソレノイド
【図１】
2012043045.tif 000003
【図２】
2012043045.tif 000004
【図３】
2012043045.tif 000005
【図４】
2012043045.tif 000006
【図５】
2012043045.tif 000007
【図６】
2012043045.tif 000008
【図７】
2012043045.tif 000009
【図８】
2012043045.tif 000010
【図９】
2012043045.tif 000011